(57)【特許請求の範囲】
【請求項１】
印刷される画像のファイル名であって、当該画像の印刷フォームを示すフォーム情報を含むファイル名を読み出すファイル名読み出し部と、
読み出した前記ファイル名から前記印刷フォームを特定し、当該印刷フォームに基づいて、前記画像の簡易プレビュー画像を生成するプレビュー画像生成部と、
所望の前記画像を選択するための選択肢として、前記簡易プレビュー画像を表示する選択肢表示部と、を備えることを特徴とする情報処理装置。
【請求項２】
前記画像は、ラベルに印刷される印刷画像であって、
前記フォーム情報は、前記ラベルの種類と、前記ラベルに印刷される印刷要素の数と、を示す情報であることを特徴とする請求項１に記載の情報処理装置。
【請求項３】
前記印刷画像の保存時に、前記フォーム情報を含むファイル名を自動生成するファイル名生成部と、
前記印刷画像と前記ファイル名を関連付けて記憶する記憶部と、を備え、
前記ファイル名読み出し部は、前記記憶部から前記ファイル名を読み出すことを特徴とする請求項２に記載の情報処理装置。
【請求項４】
前記印刷画像は、文字を含み、
前記ファイル名生成部は、前記ラベルに印刷される文字の少なくとも一部を含むファイル名を自動生成し、
前記プレビュー画像生成部は、前記ラベルに印刷される文字の少なくとも一部を含む前記簡易プレビュー画像を生成することを特徴とする請求項３に記載の情報処理装置。
【請求項５】
前記文字の少なくとも一部は、前記ラベルに印刷される最初の前記印刷要素である先頭文字、および／または、前記ラベルに印刷される最後の前記印刷要素である終端文字、であることを特徴とする請求項４に記載の情報処理装置。
【請求項６】
前記ファイル名生成部は、前記ラベルのラベル幅、ラベル長、ラベル色、文字色のうち少なくとも１以上の情報を含むファイル名を自動生成し、
前記プレビュー画像生成部は、前記ファイル名に含まれる前記ラベルのラベル幅、ラベル長、ラベル色、文字色のうち少なくとも１以上の情報に基づいて、前記簡易プレビュー画像を生成することを特徴とする請求項３ないし５のいずれか１項に記載の情報処理装置。
【請求項７】
ラベルに印刷される画像のファイル名であって、当該画像の印刷フォームを示すフォーム情報を含むファイル名を読み出すファイル名読み出し部と、
読み出した前記ファイル名から前記印刷フォームを特定し、当該印刷フォームに基づいて、前記画像の簡易プレビュー画像を生成するプレビュー画像生成部と、
所望の前記画像を選択するための選択肢として、前記簡易プレビュー画像を表示する選択肢表示部と、を備えることを特徴とするテープ印刷装置。
【請求項８】
印刷される画像のファイル名であって、当該画像の印刷フォームを示すフォーム情報を含むファイル名を読み出すファイル名読み出しステップと、
読み出した前記ファイル名から前記印刷フォームを特定し、当該印刷フォームに基づいて、前記画像の簡易プレビュー画像を生成するプレビュー画像生成ステップと、
所望の前記画像を選択するための選択肢として、前記簡易プレビュー画像を表示する選択肢表示ステップと、を実行することを特徴とする情報処理装置の表示制御方法。
【発明の詳細な説明】
【技術分野】
【０００１】
本発明は、所望の印刷画像を選択するための選択肢として、プレビュー画像を表示する情報処理装置、テープ印刷装置および情報処理装置の表示制御方法に関する。
【背景技術】
【０００２】
この種の技術として、例えば特許文献１が知られている。特許文献１には、所望の印刷画像（ファイル）を選択するための選択肢（サムネイル）として、印刷画像の少なくとも一部を縮小した縮小画像を表示画面に表示する技術が開示されている。このように縮小画像をプレビューすることにより、小さな表示画面でも印刷画像の全体像を確認できるため、所望の印刷画像を探し出し易いといった利点がある。
【先行技術文献】
【特許文献】
【０００３】
【特許文献１】特開２０１０−１７３０７２号公報
【発明の概要】
【発明が解決しようとする課題】
【０００４】
ところが、上記特許文献１のように、印刷画像から縮小画像を生成してプレビューする構成では、選択肢数が多い場合、縮小画像の生成処理に多くの演算処理を必要とする。このため、プレビュー画像の表示までに時間がかかってしまう。
【０００５】
本発明は、上記の問題点に鑑み、所望の画像を探し出すために表示するプレビュー画像を迅速に表示可能な情報処理装置、テープ印刷装置および情報処理装置の表示制御方法を提供することを目的とする。
【課題を解決するための手段】
【０００６】
本発明の情報処理装置は、印刷される画像のファイル名であって、当該画像の印刷フォームを示すフォーム情報を含むファイル名を読み出すファイル名読み出し部と、読み出したファイル名から印刷フォームを特定し、当該印刷フォームに基づいて、画像の簡易プレビュー画像を生成するプレビュー画像生成部と、所望の画像を選択するための選択肢として、簡易プレビュー画像を表示する選択肢表示部と、を備えることを特徴とする。
【０００７】
本発明のテープ印刷装置は、ラベルに印刷される画像のファイル名であって、当該画像の印刷フォームを示すフォーム情報を含むファイル名を読み出すファイル名読み出し部と、読み出したファイル名から印刷フォームを特定し、当該印刷フォームに基づいて、画像の簡易プレビュー画像を生成するプレビュー画像生成部と、所望の画像を選択するための選択肢として、簡易プレビュー画像を表示する選択肢表示部と、を備えることを特徴とする。
【０００８】
本発明の情報処理装置の表示制御方法は、印刷される画像のファイル名であって、当該画像の印刷フォームを示すフォーム情報を含むファイル名を読み出すファイル名読み出しステップと、読み出したファイル名から印刷フォームを特定し、当該印刷フォームに基づいて、画像の簡易プレビュー画像を生成するプレビュー画像生成ステップと、所望の画像を選択するための選択肢として、簡易プレビュー画像を表示する選択肢表示ステップと、を実行することを特徴とする。
【０００９】
本発明は、印刷される画像のファイル名から印刷フォームを特定し、当該印刷フォームに基づいて簡易プレビュー画像を生成する。このように、ファイル名から特定した印刷フォームに基づいて簡易的にプレビュー画像を生成するため、短時間でプレビュー画像を表示することができる。また、画像（ファイル）そのものを読み出す必要がないため、読み出しに要する時間も短縮できる。特に、外部装置にファイルを保存しておき、外部装置にアクセスしてファイルを読み出す構成の場合、ファイルデータをロードしなくても簡易プレビュー画像を表示することができるため、より効果的である。
【００１０】
上記の情報処理装置において、画像は、ラベルに印刷される印刷画像であって、フォーム情報は、ラベルの種類と、ラベルに印刷される印刷要素の数と、を示す情報であることを特徴とする。
【００１１】
本発明の構成によれば、ラベルの種類と、ラベルに印刷される印刷要素の数と、を簡易プレビュー画像に反映できるため、ユーザーはこれらを確認した上で、所望の印刷画像を容易に探し出すことができる。
【００１２】
上記の情報処理装置において、印刷画像の保存時に、フォーム情報を含むファイル名を自動生成するファイル名生成部と、印刷画像とファイル名を関連付けて記憶する記憶部と、を備え、ファイル名読み出し部は、記憶部からファイル名を読み出すことを特徴とする。
【００１３】
本発明の構成によれば、ファイル名を自動生成するため、ユーザーによるファイル名入力の手間を省略できると共に誤入力を防止できる。また、複数人で印刷画像を使用する場合でも、ユーザーによってファイル名の付け方が異なることがないため、簡易プレビュー画像だけでなくファイル名からも印刷画像を容易に推測することができる。
【００１４】
上記の情報処理装置において、印刷画像は、文字を含み、ファイル名生成部は、ラベルに印刷される文字の少なくとも一部を含むファイル名を自動生成し、プレビュー画像生成部は、ラベルに印刷される文字の少なくとも一部を含む簡易プレビュー画像を生成することを特徴とする。
【００１５】
本発明の構成によれば、ラベルに印刷される文字の少なくとも一部を簡易プレビュー画像に反映できるため、ユーザーはこれらを確認した上で、所望の印刷画像を容易に探し出すことができる。
【００１６】
上記の情報処理装置において、文字の少なくとも一部は、ラベルに印刷される最初の印刷要素である先頭文字、および／または、ラベルに印刷される最後の印刷要素である終端文字、であることを特徴とする。
【００１７】
本発明の構成によれば、ラベルに印刷される先頭文字および／または終端文字は、特徴的な（重要な）情報であることが多いため、これらを簡易プレビュー画像に反映することで、所望の印刷画像を正確に探し出すことができる。
【００１８】
上記の情報処理装置において、ファイル名生成部は、ラベルのラベル幅、ラベル長、ラベル色、文字色のうち少なくとも１以上の情報を含むファイル名を自動生成し、プレビュー画像生成部は、ファイル名に含まれるラベルのラベル幅、ラベル長、ラベル色、文字色のうち少なくとも１以上の情報に基づいて、簡易プレビュー画像を生成することを特徴とする。
【００１９】
本発明の構成によれば、ラベルのラベル幅、ラベル長、ラベル色、文字色のうち少なくとも１以上の情報を簡易プレビュー画像に反映できるため、ユーザーはこれらを確認した上で、所望の印刷画像を容易に探し出すことができる。
【図面の簡単な説明】
【００２０】
【図１】本発明の一実施形態に係る印刷システムの構成図である。
【図２】ＰＣのハードウェア構成を示すブロック図である。
【図３】テープ印刷装置のハードウェア構成を示すブロック図である。
【図４】ＰＣおよびテープ印刷装置の機能構成を示すブロック図である。
【図５】ファイル一覧画面の一例を示す図である。
【図６】パンチブロックラベル編集画面の一例を示す図である。
【図７】パンチブロックラベルの作成例を示す図である。
【図８】パンチブロックラベルのファイル名の一例および簡易プレビュー画像の一例を示す図である。
【図９】パッチパネルラベル編集画面の一例を示す図である。
【図１０】パッチパネルラベルの作成例を示す図である。
【図１１】パッチパネルラベルのファイル名の一例および簡易プレビュー画像の一例を示す図である。
【図１２】変形例１に係るラップラベルの作成例を示す図である。
【図１３】変形例１に係るラップラベルのファイル名の一例および簡易プレビュー画像の一例を示す図である。
【図１４】変形例２に係るフラッグラベルの作成例を示す図である。
【図１５】変形例２に係るフラッグラベルのファイル名の一例および簡易プレビュー画像の一例を示す図である。
【図１６】第２実施形態に係るテープ印刷装置の機能構成を示すブロック図である。
【発明を実施するための形態】
【００２１】
[第１実施形態]
以下、添付の図面を参照して、本発明の情報処理装置、テープ印刷装置および情報処理装置の表示制御方法について説明する。本実施形態では、本発明の情報処理装置を、パーソナルコンピューター（以下、「ＰＣ」と称する）２で実現する場合を例示する。
【００２２】
図１は、本発明の一実施形態に係る印刷システムＳＹの構成図である。同図に示すように、印刷システムＳＹは、ＰＣ２と、長尺状の印刷媒体である印刷テープＴに印刷を行ってラベルを作成するテープ印刷装置３と、を備えている。
【００２３】
ＰＣ２は、ＰＣ本体２１、表示画面２２、キーボード２３、マウス２４など一般的なコンピューターの構成を有している。また、ＰＣ２は、ＵＳＢケーブル４０を介してテープ印刷装置３と通信する。なお、ＰＣ２とテープ印刷装置３間の通信は、ＵＳＢ規格に限らず、Ｅｔｈｅｒｎｅｔ（登録商標）など他の規格を用いても良い。また、Ｂｌｕｅｔｏｏｔｈ（登録商標）などの無線通信規格を用いても良い。
【００２４】
テープ印刷装置３は、印刷テープＴおよびインクリボンが収容されたテープカートリッジ３１が装着され、ＰＣ２から印刷データを受信すると、テープカートリッジ３１から印刷テープＴを繰り出しつつ印刷処理および切断処理を行う。印刷テープＴの印刷済み部分は、切断処理後、テープ排出口３２から排出され、ラベルとして用いられる。なお、本実施形態では、ラベルとして、パンチブロックラベルＬ１（パンチブロックの端子名を明示するラベル）や、パッチパネルラベルＬ２（パッチパネルの端子名を明示するラベル）を作成する場合を例示する（図７，図１０参照）。
【００２５】
次に、図２および図３を参照し、ＰＣ２およびテープ印刷装置３のハードウェア構成について説明する。図２は、ＰＣ２のブロック図である。ＰＣ２は、ハードウェア構成として、図１に示した表示画面２２、キーボード２３、マウス２４の他、ＵＳＢ通信部２５、ＨＤＤ（Hard  disk  drive）２６およびＰＣ側制御部２８を備えている。
【００２６】
表示画面２２は、ファイル一覧画面Ｄ１（図５参照）やラベル編集画面Ｄ２，Ｄ３（図６，図９参照）など、各種情報を表示する。キーボード２３およびマウス２４は、各種選択肢の選択操作や編集操作を行うために用いられる。ＵＳＢ通信部２５は、ＵＳＢ通信規格に基づき、テープ印刷装置３と通信を行う。
【００２７】
ＨＤＤ２６は、ＯＳ（Operating  System）２６ａおよび専用アプリケーション２６ｂを記憶する。専用アプリケーション２６ｂは、テープ印刷装置３に出力する印刷データを生成するためのアプリケーションである。ＰＣ側制御部２８は、ＣＰＵ（Central  Processing  Unit）およびＲＡＭ（Random  Access  Memory）等によって実現され、上記の各部（符号２２ないし符号２６）と連携し、印刷データの生成処理やテープ印刷装置３との通信制御を行う。
【００２８】
図３は、テープ印刷装置３のブロック図である。テープ印刷装置３は、ハードウェア構成として、ＵＳＢ通信部３３、カートリッジ検出部３４、印刷機構３５および印刷装置側制御部３６を備えている。
【００２９】
ＵＳＢ通信部３３は、ＵＳＢ通信によってＰＣ２と通信を行う。カートリッジ検出部３４は、テープカートリッジ３１に収容された印刷テープＴに関するテープ情報を検出する。テープ情報としては、印刷テープＴのテープ幅、テープ材質、テープ色、および、インクリボンのインク色などを検出する。検出方法としては、テープカートリッジ３１に貼付または印刷された情報（バーコードや２次元コードなど）やＲＦＩＤ（Radio  Frequency  Identification）を読み取る方法、テープカートリッジ３１に形成された１以上の孔の有無を検出する方法、などが考えられる。なお、検出したテープ情報（例えば、テープ幅）は、ラベル編集画面Ｄ２，Ｄ３のテープ幅選択欄８１，９１などに反映される（図６，図９参照）。
【００３０】
印刷機構３５は、印刷ヘッド４１、テープ送りモーター４２、カッターモーター４３およびテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。カッターモーター４３は、テープカッター４４を駆動し、テープ送りを一旦停止した状態で、印刷テープＴの印刷済み部分をテープ幅方向に切断する。
【００３１】
印刷装置側制御部３６は、ＣＰＵやＲＡＭ等によって実現され、上記の各部（符号３３ないし符号３５）と連携し、ＰＣ２との通信制御や印刷制御を行う。具体的には、テープカートリッジ３１の装着時またはＰＣ２からの問い合わせがあったとき、ＵＳＢ通信部３３を介してカートリッジ検出部３４によって検出したテープ情報をＰＣ２に送信する。また、ＰＣ２からＵＳＢ通信部３３を介して印刷データを受信し、当該印刷データに基づいて印刷機構３５を制御する。
【００３２】
次に、図４を参照し、ＰＣ２およびテープ印刷装置３の機能構成について説明する。ＰＣ２は、機能構成として、印刷画像保存部５１、入力部５２、ファイル名生成部５３、記憶部５４、ファイル名読み出し部５５、プレビュー画像生成部５６、選択肢表示部５７、印刷データ生成部５８および印刷データ出力部５９を備えている。これらのうち入力部５２および記憶部５４以外の機能は、主に上記の専用アプリケーション２６ｂ（図２参照）によって提供される。また、テープ印刷装置３は、機能構成として、印刷データ取得部６１および印刷部６２を備えている。
【００３３】
印刷画像保存部５１は、ユーザーによる保存操作に基づき、生成された印刷画像を、ファイルとして記憶部５４に保存する。なお、印刷実行時など、ユーザーの操作時以外の所定のトリガー発生時に、ファイルを自動保存しても良い。入力部５２は、キーボード２３やマウス２４の操作に基づき、情報入力を行う。
【００３４】
ファイル名生成部５３は、印刷画像保存部５１による印刷画像の保存時に、印刷画像のファイル名を自動生成する。当該ファイル名は、印刷画像を生成したときに用いられた印刷フォームを示すフォーム情報を含む。ここで「フォーム情報」とは、ラベルＬの種類と、ラベルＬに印刷される印刷要素の数と、を示す情報である。「ラベルＬの種類」とは、パンチブロックラベルＬ１、パッチパネルラベルＬ２などを指す。また、「印刷要素の数」とは、パンチブロックラベルＬ１やパッチパネルラベルＬ２の場合、ブロック数（端子名を表示する端子数に応じて設定される数）を指す。また、ファイル名生成部５３は、これらフォーム情報以外に、ラベルＬに印刷される文字の少なくとも一部を含めてファイル名を生成する。詳細については、後述する。
【００３５】
記憶部５４は、印刷画像保存部５１により保存される印刷画像と、ファイル名生成部５３により生成されたファイル名を関連付けて不揮発性メモリー（ＨＤＤ２６）に記憶する。なお、記憶部５４を、ＰＣ２外部（ＰＣ２からアクセス可能なサーバーやクラウドコンピューティングなど）に設けても良い。
【００３６】
ファイル名読み出し部５５は、ユーザーによるファイル名読み出し操作（ファイル一覧表示指示操作）に基づき、記憶部５４に記憶されている各印刷画像の各ファイル名を読み出す（ファイル名読み出しステップ）。プレビュー画像生成部５６は、読み出した各ファイル名から、各印刷画像の印刷フォームを特定し、特定した印刷フォームに基づいて、各印刷画像の簡易プレビュー画像Ｇを生成する（プレビュー画像生成ステップ）。つまり、プレビュー画像生成部５６は、記憶部５４に記憶されている印刷画像そのもの（ファイル自体）ではなく、「ファイル名」に基づいて、印刷画像を簡易的に模した簡易プレビュー画像Ｇを生成する。
【００３７】
選択肢表示部５７は、プレビュー画像生成部５６により生成された各印刷画像の簡易プレビュー画像Ｇを、後述するファイル一覧画面Ｄ１に表示する（選択肢表示ステップ）。印刷データ生成部５８は、ファイル一覧画面Ｄ１の中から選択されたファイル（印刷画像）を利用し、入力部５２の編集操作に基づいて印刷データを生成する。印刷データ出力部５９は、印刷データ生成部５８により生成された印刷データを、テープ印刷装置３に出力する。
【００３８】
一方、テープ印刷装置３の印刷データ取得部６１は、ＰＣ２から印刷データを取得する。印刷部６２は、取得した印刷データに基づいて印刷テープＴに印刷を行い、各種ラベルＬを作成する。
【００３９】
次に、図５を参照し、ファイル一覧画面Ｄ１について説明する。ファイル一覧画面Ｄ１は、ユーザーが所望の印刷画像を選択するための１以上の選択肢７０を表示する。各選択肢７０は、簡易プレビュー画像Ｇおよびファイル名７１を含む。また、符号７５の囲み枠は、選択中の選択肢７０であることを示す。ユーザーにより、選択肢７０が選択され、ＯＫボタン７８が押下されると、当該選択肢７０に対応する印刷画像を記憶部５４から読み出す。また、読み出した印刷画像は、画像編集画面（印刷画像を編集するための画面）または印刷プレビュー画面に表示する（いずれも図示省略）。なお、ファイル一覧画面Ｄ１において、キャンセルボタン７９が押下されると、ファイル一覧画面Ｄ１を非表示とし、画像編集画面、若しくは図６または図９に示すラベル編集画面Ｄ２，Ｄ３に戻る。
【００４０】
なお、特に図示しないが、ファイル一覧画面Ｄ１に表示される選択肢７０は、ファイル作成日時、ファイル名、ラベルの種類、印刷要素の数（ブロック数）、ラベル長、テープ幅（ラベル幅）、印刷回数、最終印刷日時などをソート条件として、並び替えることができる。また、ソート条件をユーザーが選択可能としても良い。
【００４１】
次に、図６を参照し、パンチブロックラベル編集画面Ｄ２について説明する。パンチブロックラベル編集画面Ｄ２は、パンチブロックラベルＬ１を作成するための編集項目を表示する。具体的には、テープ幅選択欄８１、ブロックタイプ選択欄８２、ラベル長選択欄８３、第１初期値選択欄８４および第２初期値選択欄８５を表示する。
【００４２】
テープ幅選択欄８１は、カートリッジ検出部３４により検出された印刷テープＴのテープ幅を表示する。また、ユーザーが、表示されたテープ幅以外のテープ幅を任意に選択することも可能である。テープ幅を変更した場合、ユーザーは、対応するテープ幅のテープカートリッジ３１をテープ印刷装置３に装填する。
【００４３】
ブロックタイプ選択欄８２は、パンチブロックのブロックタイプを「２」〜「５」のいずれかに選択する。このブロックタイプの選択結果に基づいて、ブロック数が決定する。具体的には、「ブロック数＝２４÷ブロックタイプ」となる。但し、ブロックタイプが「５」のときは、ブロック数が「５」となる。
【００４４】
ラベル長選択欄８３は、パンチブロックラベルＬ１のラベル長を選択する。第１初期値選択欄８４は、パンチブロックラベルＬ１の上段の初期値を選択する。第２初期値選択欄８５は、パンチブロックラベルＬ１の下段の初期値を選択する。なお、パンチブロックラベル編集画面Ｄ２において、ＯＫボタン８８が押下されると、編集内容を確定し、印刷プレビュー画面を表示する。若しくは、ＯＫボタン８８の押下によって、印刷画像を保存したり、テープ印刷装置３に対し印刷データを出力したりしても良い。また、キャンセルボタン８９が押下されると、パンチブロックラベル編集画面Ｄ２の編集内容を無効とする。
【００４５】
図７は、パンチブロックラベルＬ１の作成例を示す図である。同図は、図６に示したパンチブロックラベル編集画面Ｄ２において、ブロックタイプ「３」、第１初期値「１」、第２初期値「２５」と設定された場合の作成例を示している。
【００４６】
図８は、図７に示したパンチブロックラベルＬ１の印刷画像を保存する際に、ファイル名生成部５３により生成されるファイル名の一例と、当該ファイル名に基づいてプレビュー画像生成部５６により生成される簡易プレビュー画像Ｇ１の一例を示す図である。同図の例では、ファイル名に、ラベルの種類、ブロック数、第１初期値および第２初期値が含まれている。また、同図の例では、ファイル名の各項目間をアンダーバーで区切っているが、アンダーバー以外の記号でも良いし、区切り用の記号を含めなくても良い。また、項目の並び順も任意である。また、ファイル名に、上記以外の編集項目（例えば、テープ幅、ブロックタイプ、ラベル長など）を含めても良い。さらに、編集項目以外にも、カートリッジ検出部３４により検出されたテープ情報（ラベル色：印刷テープＴの色、文字色：インクリボンの色、など）の他、ファイル作成日、文字方向、文字サイズなどをファイル名に含めても良い。
【００４７】
一方、同図に示す簡易プレビュー画像Ｇ１は、同図に示すファイル名に基づいて生成されたものであり、ラベルの種類に基づく印刷フォーマットが反映されている。また、パンチブロックラベルＬ１に印刷される文の一部（印刷画像上段の先頭文字「１（最初の印刷要素）」、２番目の文字「３」、終端文字「２４」、および印刷画像下段の先頭文字「２５」、２番目の文字「２７」、終端文字「４８（最後の印刷要素）」）が反映されている。なお、同図に示す簡易プレビュー画像Ｇ１は、印刷テープＴの長手方向における中間部を省略して表現しているが、このことを示す複数点リーダーは、破断線など別の記号で表現しても良い。
【００４８】
次に、図９を参照し、パッチパネルラベル編集画面Ｄ３について説明する。パッチパネルラベル編集画面Ｄ３は、パッチパネルラベルＬ２を作成するための編集項目を表示する。具体的には、テープ幅選択欄９１、ブロック数選択欄９２、ブロック長選択欄９３、初期値選択欄９４、増分選択欄９５および繰り返し数選択欄９６を表示する。
【００４９】
テープ幅選択欄９１は、カートリッジ検出部３４により検出された印刷テープＴのテープ幅を表示する。また、ユーザーが、表示されたテープ幅以外のテープ幅を任意に選択しても良い。ブロック数選択欄９２は、パッチパネルラベルＬ２のブロック数（＝端子数）を選択する。ブロック長選択欄９３は、各ブロックの印刷テープＴの長手方向における長さであるブロック長を選択する。なお、ブロック長に代えてラベル長を選択可能としても良い。この場合、ラベル長とブロック数に基づいて、ブロック数が決定される。
【００５０】
初期値選択欄９４は、パッチパネルラベルＬ２の初期値を選択する。増分選択欄９５は、各ブロックに入力される数字の増分を選択する。繰り返し数選択欄９６は、各ブロックに入力される数字の繰り返し数を選択する。なお、パッチパネルラベル編集画面Ｄ３において、ＯＫボタン９８が押下されると、編集内容を確定し、印刷プレビュー画面を表示する。若しくは、ＯＫボタン９８の押下によって、印刷画像を保存したり、テープ印刷装置３に対し印刷データを出力したりしても良い。また、キャンセルボタン９９が押下されると、パッチパネルラベル編集画面Ｄ３の編集内容を無効とする。
【００５１】
図１０は、パッチパネルラベルＬ２の作成例を示す図である。同図は、図９に示したパッチパネルラベル編集画面Ｄ３において、ブロック数「５」、初期値「１」、増分「１」、繰り返し数「１」と設定された場合の作成例を示している。
【００５２】
図１１は、図１０に示したパッチパネルラベルＬ２の印刷画像を保存する際に、ファイル名生成部５３により生成されるファイル名の一例と、当該ファイル名に基づいてプレビュー画像生成部５６により生成される簡易プレビュー画像Ｇ２の一例を示す図である。同図の例では、ファイル名に、ラベルの種類、ブロック数および初期値が含まれている。なお、ファイル名は、同図に示したものに限らず、パンチブロックラベルＬ１と同様の変形例が考えられる。また、ファイル名に、ブロック長、ラベル長、増分、繰り返し数などの編集項目を含めても良い。また、同図に示す簡易プレビュー画像Ｇ２は、同図に示すファイル名に基づいて生成されたものであり、ラベルの種類に基づく印刷フォーマットと、パッチパネルラベルＬ２に印刷される先頭文字「１」および終端文字「５」が反映されている。
【００５３】
以上説明したとおり、第１実施形態によれば、印刷画像のファイル名から印刷フォーム（ラベルの種類および印刷要素の数）を特定し、当該印刷フォームに基づいて簡易プレビュー画像Ｇを生成するため、記憶部５４から印刷画像（ファイルの内容）を読み出すことなく、短時間でファイル一覧画面Ｄ１を表示させることができる。特に、記憶部５４をＷｅｂサーバーなどの外部装置に設け、ＰＣ２から外部装置にアクセスしてファイルを読み出す構成の場合、全ファイルのファイルデータではなくファイル名のロードだけでファイル一覧画面Ｄ１を表示させることができるため、より効果的である。この場合、ファイル一覧画面Ｄ１におけるファイルの選択によって、選択されたファイルデータだけをＰＣ２にロードすれば良い。
【００５４】
また、ファイル名生成部５３は、印刷画像のフォーム情報や、ラベルＬに印刷される文字を含むファイル名を自動生成するため、ユーザーによるファイル名入力の手間を省略できると共に誤入力を防止できる。また、複数人で印刷画像を共用する場合でも、ユーザーによってファイル名の付け方が異なることがないため、各ユーザーがファイル名から容易に印刷画像を推測することができる。また、簡易プレビュー画像Ｇには、印刷画像の印刷フォームや印刷画像に含まれる文字が反映されるため、ユーザーはこれらを確認した上で、所望の印刷画像を容易に探し出すことができる。
【００５５】
なお、上記の実施形態によらず、以下の変形例を採用可能である。
［変形例１］
図１２および図１３に示すように、ラップラベルＬ３を作成する場合に本発明を適用しても良い。図１２は、ラップラベルＬ３の作成例を示す図である。ラップラベルＬ３は、ケーブル等の巻き付け対象物に巻き付けてケーブル名等を明示するラベルである。ラップラベルＬ３を作成する場合、ラベル編集画面（図示省略）では、１行以上の文字列が入力され、さらにラベル長、または巻き付け対象物の直径が設定される。直径が設定された場合、直径の長さに円周率を乗じ、数ｍｍないし数ｃｍの付加長（α）を加えた長さがラベル長となる。図１３は、図１２に示したラップラベルＬ３の印刷画像を保存する際に生成されるファイル名の一例と、当該ファイル名に基づいて生成される簡易プレビュー画像Ｇ３の一例を示す図である。同図の例では、ファイル名に、ラベルの種類、１行目の文字列、２行目の文字列および直径が含まれている。また、同図に示す簡易プレビュー画像Ｇ３は、ラベルの種類に基づく印刷フォーマットと、１行目および２行目の文字列が反映されている。
【００５６】
［変形例２］
また、図１４および図１５に示すように、フラッグラベルＬ４を作成する場合にも本発明を適用可能である。図１４は、フラッグラベルＬ４の作成例を示す図である。フラッグラベルＬ４は、その中央の巻き付け領域を、ケーブル等の巻き付け対象物に巻き付ける一方、ラベル右部およびラベル左部のテキスト領域を貼り合わせてケーブル名等を明示するフラッグ部が形成される。フラッグラベルＬ４を作成する場合、ラベル編集画面（図示省略）では、テキスト領域に印刷される１行以上の文字列が入力され、さらにテキスト領域および巻き付け領域の長さが設定される。なお、文字列は、ラベル右部用とラベル左部用とで、異なる情報を入力しても良い。また、巻き付け領域とテキスト領域との境界を示す境界マーク１０１の有無や種類を選択可能としても良い。図１５は、図１４に示したフラッグラベルＬ４の印刷画像を保存する際に生成されるファイル名の一例と、当該ファイル名に基づいて生成される簡易プレビュー画像Ｇ４の一例を示す図である。同図の例では、ファイル名に、ラベルの種類、テキスト領域に印刷される文字列、テキスト領域の長さ、巻き付け領域の長さが含まれている。また、同図に示す簡易プレビュー画像Ｇ４は、巻き付け対象物にフラッグラベルＬ４を巻き付ける途中の状態を模した画像となっており、ラベル右部とラベル左部それぞれのテキスト領域に印刷される文字列が反映されている。なお、簡易プレビュー画像Ｇ４は、先に示した簡易プレビュー画像Ｇ１〜Ｇ３と同様に、巻き付け前のラベルＬの状態を模したものでも良い。この場合、境界マーク１０１の有無や種類を簡易プレビュー画像Ｇ４に反映しても良い。
【００５７】
［変形例３］
上記の実施形態のファイル名生成部５３は、印刷画像の印刷フォーム（ラベルの種類および印刷要素の数）を示す情報を含むファイル名を生成したが、印刷フォーム＝ラベルの種類として、印刷要素の数を簡易プレビュー画像Ｇに反映しない構成としても良い。
【００５８】
［変形例４］
また、印刷要素の数を示す情報のみをファイル名に含めても良い。この場合、カートリッジ検出部３４の検出結果から検出したテープ情報から、テープ種別を特定し、当該テープ種別に基づいて、ラベルの種類を特定しても良い。この構成により、ファイル名からラベルの種類を特定できない場合でも、ラベルの種類および印刷要素の数が反映された簡易プレビュー画像Ｇを生成できる。また、さらなる変形例として、テープカートリッジ３１が装着された印刷装置の装置種別（パンチブロックラベル作成専用装置、パッチパネルラベル作成専用装置など）を特定し、当該装置種別に基づいて、ラベルの種類を特定しても良い。
【００５９】
［第２実施形態］
次に、図１６を参照し、本発明の第２実施形態について説明する。上記の第１実施形態では、ＰＣ２とテープ印刷装置３によってラベルＬを作成したが、本実施形態では、テープ印刷装置３´のみでラベルＬを作成する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６０】
図１６は、第２実施形態に係るテープ印刷装置３´の機能構成を示すブロック図である。同図に示すように、テープ印刷装置３´は、印刷画像保存部５１、入力部５２、ファイル名生成部５３、記憶部５４、ファイル名読み出し部５５、プレビュー画像生成部５６、選択肢表示部５７、印刷データ生成部５８および印刷部６２を備えている。入力部５２は、テープ印刷装置３´に設けられた不図示の操作手段（キーボード、タッチパネルなど）により情報入力やラベル編集を行う。このように、第２実施形態によれば、テープ印刷装置３´単体で手軽にラベルＬの編集および作成を行うことができる。なお、第２実施形態でも、記憶部５４をテープ印刷装置３´からアクセス可能な外部装置に設ける構成を採用可能である。
【００６１】
以上、２つの実施形態および変形例を示したが、これらに示した印刷システムＳＹ（ＰＣ２）またはテープ印刷装置３´における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹまたはテープ印刷装置３´の各構成要素として機能させるためのプログラム、それを記録した記録媒体、並びにそれによって作成されたラベルＬも、本発明の権利範囲に含まれる。その他、第１実施形態のＰＣ２に代えて携帯電話やタブレット端末など他の情報処理端末を用いたり、ＰＣ２の各部をクラウドコンピューティングで実現するなど、本発明の要旨を逸脱しない範囲で、適宜変更が可能である。
【符号の説明】
【００６２】
２…ＰＣ  ３…テープ印刷装置  ５１…印刷画像保存部  ５２…入力部  ５３…ファイル名生成部  ５４…記憶部  ５５…ファイル名読み出し部  ５６…プレビュー画像生成部  ５７…選択肢表示部  ５８…印刷データ生成部  ５９…印刷データ出力部  ６１…印刷データ取得部  ６２…印刷部
【図１】
0006418123.tif 000002
【図２】
0006418123.tif 000003
【図３】
0006418123.tif 000004
【図４】
0006418123.tif 000005
【図５】
0006418123.tif 000006
【図６】
0006418123.tif 000007
【図７】
0006418123.tif 000008
【図８】
0006418123.tif 000009
【図９】
0006418123.tif 000010
【図１０】
0006418123.tif 000011
【図１１】
0006418123.tif 000012
【図１２】
0006418123.tif 000013
【図１３】
0006418123.tif 000014
【図１４】
0006418123.tif 000015
【図１５】
0006418123.tif 000016
【図１６】
0006418123.tif 000017